(57)【特許請求の範囲】
【請求項１】
奥側が奥板により仕切られ、手前が外装部材により仕切られた箱型形状の筐体と、
前記筐体内に配置されるファンと、
前記ファンの吹出口側に配置される熱交換器と、
前記外装部材に配置される吸込口および吹出口と、
前記吹出口に配置され、前記熱交換器で熱交換された空調空気を吹分けるルーバとを備え、
前記ルーバは複数に分割される分割ルーバにより構成され、前記吹出口における複数の分割ルーバのうちの少なくとも一つの分割ルーバを閉じた状態で前記ファンが送風を行い、
前記分割ルーバは、前記吹出口の長手方向に等しくない長さに分割され形成されている
ことを特徴とする空気調和機の室内機。  
【請求項２】
請求項１に記載の空気調和機の室内機において、
前記分割ルーバは前記吹出口を閉じている状態のとき、他の前記分割ルーバと重なって前記吹出口を閉じるように構成されている
ことを特徴とする空気調和機の室内機。
【請求項３】
請求項１に記載の空気調和機の室内機において、
前記分割ルーバは、前記吹出口を狭めるような位置を保ち空調運転される
ことを特徴とする空気調和機の室内機。
【請求項４】
請求項１に記載の空気調和機の室内機において、
前記空気調和機の室内機は、前記ファンの回転速度を通常より上げる高天井対応設定機能を備えている
ことを特徴とする空気調和機の室内機。
【請求項５】
請求項１に記載の空気調和機の室内機において、
前記分割ルーバは、大きさを調整できる
ことを特徴とする空気調和機の室内機。
【発明の詳細な説明】
【技術分野】
【０００１】
本発明は、空気調和機の室内機に関する。
【背景技術】
【０００２】
現在の空気調和機の技術的な課題は快適性と省エネである。快適性とは、必要な場所に必要な空調を提供することである。
快適性、省エネという二つの課題を両立させるため、最近は部分空調ということが行われている。部分空調とは、空調したい場所に積極的に空調した空気を送り、その場所の快適性を確保しつつ他の場所には空調空気を送る必要がないため、省エネに繋がる。
この空調したい場所に積極的に空気を送れるよう空気の流れの向きを制御するのが室内機吹出口に設けるルーバである。例えば、図１６に示すように、各吹出口１０５にルーバ２０１が設けられている。図１６は、従来の空気調和機の室内機を示す下面図である。
【０００３】
図１７に、従来の吹出口周りの一例の断面図を示す。図１７は、ルーバ２０１を鉛直方向に切った断面図である。
空気調和機の室内機１０１は、天井１１５に埋め込まれて設置されている。
室内機１０１の下面には、矩形状の平板の化粧パネル１０２が設けられている。
室内機１０１の中央側には、室内の空気が、図示しないファンで吸込まれる吸込口１０３が配置され、吸込口１０３には意匠性を高めるための吸込グリル１０４が設けられている。
【０００４】
吸込口１０３の上部外側には、吸込まれた空気（図１７の矢印β１１）を冷媒と熱交換して調和空気とする熱交換器１１３が設けられている。そして、熱交換器１１３の外側下方には、調和空気を吹出す（図１７の矢印β１２）ための吹出口１０５が設けられている。熱交換器１１３の下方には、熱交換器１１３で凝縮された水分を受ける水受け１１４が設けられている。
【０００５】
吹出口１０５には、片持ちに軸支持されるルーバ２０１が設けられている。ルーバ２０１は、軸周りに回動（図１７の矢印α１０方向）することで、吹出口１０５を開閉する機能をもつ。
ルーバ２０１は分割されておらず一つの部品（一つの長形の平板）で構成されている。ルーバ２０１は吹出口１０５を塞ぐ蓋の役目もしており、化粧パネル１０２のデザイン性を高めている。
【０００６】
図１８に、従来のルーバを鉛直方向に切った吹出口周りの他例の断面図を示す。図１８は、ルーバ２０２を鉛直方向に切った断面図である。
他例のルーバ２０２は、一つの部品で構成されている。また、ルーバ２０２は、ルーバ回転中心２０３を回転軸として回転し、吹出口１０５を塞ぐ蓋の役目も果たしている。
【０００７】
ところで、空気調和機には家庭用と業務用の二つの種類がある。家庭用は主に人(動物)に対して空調を行うものであるが、業務用は人だけでなく電子機器(コンピュータ等)や温度管理を必要とする物品(食品等)に対しても空調を行っている。このように、業務用空調機は種々の用途をもつため、業務用空調機にはいろいろな機能が備えられる。
【０００８】
当該機能の一つに「高天井対応」の機能がある。例えば、倉庫等の天井が高く、天井と床までの距離が遠い部屋に空気調和機の室内機を取り付けた場合、暖房時、室内機の吹出口１０５（図１６参照）から出た風は距離が遠いため直接床まで届かない場合がある。冷風であれば、冷風の空気の密度が他の空気と比べて相対的に高いので下降流となり、空気の密度差による自然対流で冷たい空気は床まで届く。一方、暖房時の温風は密度が他の空気と比べて相対的に低いので上昇流となるため、温風として下方に向けて吹き出されても、床まで届くことが無いまたは困難となる。
【０００９】
そこで、空気調和機に備わる高天井対応機能はそのような場合に使用される。すなわち、温風が床まで届くよう室内機吹出口１０５（図１６参照）の吹出風速を大きくさせる。具体的には、室内機１０１に搭載されているファンの回転速度を上げて、ファンにより吹き出される調和空気の吹出風速を大きくしている。
【００１０】
この業務用空調機の高天井機能も、前記部分空調を実現する一手段である。すなわち、距離が遠くても温風を吹出風速を高めることで、その場所に届けることができる。そのため、その場所を積極的に暖めることができるため快適性を確保するとともに、省エネとなる。なお、それ以外の場所には温風を送らない。
なお、当該技術の先行技術として特許文献１がある。
【先行技術文献】
【特許文献】
【００１１】
【特許文献１】特開２００７−１３２５７８号公報
【発明の概要】
【発明が解決しようとする課題】
【００１２】
ところで、前述の高天井対応機能は一般的に天井と床の距離が、４〜５ｍ程度まで対応している。従って、この距離までならば、調和空気が届かないという問題はない。
一方、業務用空調機においてはさらに天井の高い倉庫等を空調したいというニーズがある。また、部分空調を強化するために吹出風速をもっと大きくしたいというニーズもある。
これらのニーズに応えるために、これらのニーズを満足する特注空調機で対応するという方法がある。しかし、特注であるため価格が高騰し、使用者にとってはあまり喜ばしいものではない。
【００１３】
或いは、前述の高天井対応機能を強化する方法も考えられる。具体的には更にファンの回転速度を上げて吹出口１０５の吹出風速をさらに大きくさせる。しかし、この場合、ファン回転速度をアップさせるため、ファンの入力電流がアップし省エネとは言えなくなる。
【００１４】
本発明は上記実状に鑑み創案されたものであり、ファン回転速度の上昇およびコストアップを抑制しつつ、吹出風速の向上が可能であり、特定の場所に調和空気を送れる空気調和機の室内機の提供を目的とする。
【課題を解決するための手段】
【００１５】
前記課題を解決するため、本発明の空気調和機の室内機は、奥側が奥板により仕切られ、手前が外装部材により仕切られた箱型形状の筐体と、前記筐体内に配置されるファンと、前記ファンの吹出口側に配置される熱交換器と、前記外装部材に配置される吸込口および吹出口と、前記吹出口に配置され、前記熱交換器で熱交換された空調空気を吹分けるルーバとを備え、前記ルーバは複数に分割される分割ルーバにより構成され、前記吹出口における複数の分割ルーバのうちの少なくとも一つの分割ルーバを閉じた状態で前記ファンが送風を行い、前記分割ルーバは、前記吹出口の長手方向に等しくない長さに分割され形成されている。
【発明の効果】
【００１７】
本発明によれば、ファン回転速度の上昇およびコストアップを抑制しつつ、吹出風速の向上が可能な空気調和機の室内機
【図面の簡単な説明】
【００１８】
【図１】本発明に係る実施形態１の空気調和機の室内機を、下面を成す化粧パネル側（室内側）から見た下面図。
【図２】図1のＡ‐Ａ断面図。
【図３】図1のＡ‐Ａ断面の他例を示す図。
【図４】実施形態１の分割ルーバの各々を吹出口が狭くなるように位置を調整した室内機の吹出口周りの断面図。
【図５】実施形態２の室内機の吹出口周りの縦断面図。
【図６】（ａ）、（ｂ）、（ｃ）は実施形態２の不等分割ルーバの開動作の例を示す吹出口周りを示す縦断面図。
【図７】実施形態３の室内機の吹出口周りの縦断面図。
【図８】（ａ）〜（ｃ）は実施形態３の分割ラップルーバの各々を吹出口が狭くなるように位置を調整した室内機の吹出口周りの断面図。
【図９】実施形態４の室内機の吹出口周りの断面図。
【図１０】実施形態４の分割ルーバの漏れ流れ止め形状を示す斜視図。
【図１１】実施形態５の化粧パネル側から見た空気調和機の室内機を示す下面図。
【図１２】実施形態６の化粧パネル側から見た空気調和機の室内機の下面図。
【図１３】実施形態７の化粧パネル側から見た空気調和機の室内機の下面図。
【図１４】変形例１の化粧パネル側から見た空気調和機の室内機の下面図。
【図１５】変形例２の化粧パネル側から見た空気調和機の室内機の下面図。
【図１６】従来の空気調和機の室内機を示す下面図。
【図１７】従来のルーバを鉛直方向に切った吹出口周りの一例の断面図。
【図１８】従来のルーバを鉛直方向に切った吹出口周りの他例の断面図
【発明を実施するための形態】
【００１９】
＜＜実施形態１＞＞
本発明の実施形態１について図１、図２を用いて説明する。
なお、本発明の実施形態は、「ルーバを長手方向に不等分割」した実施形態６、７等であり、それ以外の部分は参考例である。
図１は、本発明に係る実施形態１の空気調和機の室内機を、下面を成す化粧パネル側（室内側）から見た下面図である。
図２は図１のＡ‐Ａ断面を示す。
実施形態１の空気調和機Ｃの室内機１は、業務用に主に使用され、例えば事業用ビルの会議室、事務室、食品等が貯蔵される倉庫、体育館等に使用されるものである。
【００２０】
＜＜実施形態１＞＞
本発明の実施形態１について図１、図２を用いて説明する。
図１は、本発明に係る実施形態１の空気調和機の室内機を、下面を成す化粧パネル側（室内側）から見た下面図である。
図２は図１のＡ‐Ａ断面を示す。
実施形態１の空気調和機Ｃの室内機１は、業務用に主に使用され、例えば事業用ビルの会議室、事務室、食品等が貯蔵される倉庫、体育館等に使用されるものである。
【００２１】
室内機１は、遠くの位置や特定の場所に空気調和された空気が必要とされる。
室内機１は例えば天井１５内の上方に埋め込み設置されている。室内機１は、上部が天板７ｔにより仕切られ、下部が化粧パネル２により仕切られた箱型形状の筐体７で形成される。
室内機１は、図２に示すように、略直方体形状の筐体７の略中央に、ターボファン１２を駆動するモータ１１が取り付けられ、ターボファン１２の周囲に熱交換器１３が設けられている。
【００２２】
熱交換器１３の下方には、熱交換器１３に露付きした露水を貯留する水受け１４が凹形状を有して配置されている。
室内機１の天井１５とほぼ同面の下面には、化粧パネル２が配置されている。
ターボファン１２の下方には吸込口３が配置されている。熱交換器７の外側下方であって、吸込口３の周囲外方には、４つの吹出口５が配置されている（図１参照）。つまり、化粧パネル２の中央に吸込口３が設けられ、吸込口３の周囲外方に４つの吹出口５が化粧パネル２に設けられている。
【００２３】
吹出口５は、下方から見て細長い長方形形状に形成されている。４つの吹出口５は略同形状を有している。
吸込口３から吸い込まれた空気は、熱交換器１３で熱交換され、ターボファン１２の吹出し力で吹出口５から室内に吹出される（図２の矢印α１ｂ参照）。吹出口５から室内に吹出される空気は、等分割ルーバ６ａ、６ｂ（後に詳述）で制御される構成である。なお、空気調和機の室内機１は、遠くに調和空気を吹出す場合にターボファン１２の回転速度を通常より上げる高天井対応設定機能が備わっている。
【００２４】
図２に示すように、ターボファン１２の下方には、ベルマウス１０、電機箱９、フィルタ８、吸込グリル４の順に下方に向かって配置されている。
ベルマウス１０は、吹出口５から吸込まれる空気をターボファン１２に向かうように整流する。
【００２５】
電機箱９は、空気調和機Ｃの制御部である。電機箱９は、マイクロコンピュータ、Ａ／Ｄ・Ｄ／Ａ変換器、ターボファン１２の駆動回路、等分割ルーバ６ａ、６ｂの駆動回路、等分割ルーバ６ａ、６ｂの開閉角度センシング回路等を有して構成されている。
フィルタ８は、吹出口５から吸込まれる室内の空気に含まれる塵埃を除去する。吸込グリル４は、格子状を成しており室内機１の内部を下面側で覆い、室内機１の意匠性も合わせもつ。
【００２６】
室内機１の内部を通る空気の流れは、モータ１１の駆動力によりターボファン１２が回転することで、図２の矢印α１ａに示すように、吸込口５の吸込グリル４から室内の空気が吸込まれる。吸込まれた空気は、フィルタ８を通過して塵埃が除去され、ベルマウス１０で整流され、ターボファン１２に導かれる。そして、ターボファン１２に吸込まれた空気は、熱交換器１３を通過して冷媒と熱交換され空気調和される。そして、空気調和された空気（以下、調和空気と称す）は、ターボファン１２の送風力で、図２の矢印α１ｂに示すように、吹出し口５から下方の室内に送られる構成である。
【００２７】
図１に示すように、室内側から見えるのは化粧パネル２と、吸込口３に配置される吸込グリル４と、吹出口５に設けられる下記の等分割ルーバ６ａ、６ｂである。
吹出口５には、短手方向を２分割するように、一対の等分割ルーバ６ａ、６ｂが取着されている。等分割ルーバ６ａ、６ｂは、図２に示すように、片持ちに軸支持されており、吹出口５を開閉する部材である。等分割ルーバ６ａ、６ｂは、吹出口５の短手方向をほぼ等しく分割するように構成されている。
【００２８】
等分割ルーバ６ａ、６ｂは、ＰＰ（polypropylene）、ＡＢＳ（Acrylonitrile Butadiene Styrene）樹脂等の樹脂を用いて射出成形で成形されている。等分割ルーバ６ａ、６ｂは、他の材料で形成してもよい。
等分割ルーバ６ａ、６ｂは、それぞれ図示しないモータ、減速機構等を用いて、支持される軸周りに回転することで、取着される吹出口５を開閉する。図１は、等分割ルーバ６ａ、６ｂが閉じた状態を示す。等分割ルーバ６ａ、６ｂの近傍には、等分割ルーバ６ａ、６ｂのそれぞれの開口角度θａ、θｂを検出する角度センサ（図示せず）が配設されている。なお、等分割ルーバ６ａ、６ｂの角度は、等分割ルーバ６ａ、６ｂを駆動するモータ、減速機構の角度を角度センサで計測して検出してもよい。例えば、ステッピングモータを使用して、角度センサを使用しない構成としてもよい。
【００２９】
等分割ルーバ６ａ、６ｂの少なくとも何れかを開いた状態に制御することにより、調和空気を送る場所、調和空気の送風力を調整する構成である。
例えば、図２に示すように、等分割ルーバ６ａを開いた状態にするとともに、等分割ルーバ６ｂを閉じた状態に調整する。図２は、中央側の等分割ルーバ６ｂのみが開いた状態を示している。
【００３０】
これは、等分割ルーバ６ａを開く角度を小さくするとともに等分割ルーバ６ｂを閉塞することで、吹出口５の開口面積を絞ったものである。
吹出口５から吸込まれ（図２の矢印α１ａ）空気調和された空気を、等分割ルーバ６ａで絞られた吹出口５の開口から強く吹出し遠くまで送ることができる（図２矢印α１ｂ）。これに対して、分割ルーバ６ａを開く面積を相対的に大きくすることで、空気調和された調和空気を、拡散気味に送ることができる。このように、等分割ルーバ６ａのみを開制御することで、調和空気を室内の側方遠くに送ったり、拡散気味に送ることができる。
【００３１】
図３は図1のＡ‐Ａ断面の他例を示す。
同様に、図３に示すように、等分割ルーバ６ｂを開いた状態を調整するとともに、等分割ルーバ６ａを閉じた状態に調整する。
つまり、等分割ルーバ６ｂを開く面積を小さくするとともに等分割ルーバ６ａを閉塞することで、吹出口５の開口面積を絞ったものである。これに対して、分割ルーバ６ｂを開く面積を相対的に大きくすることで、空気調和された空気を広い面積（空間）に送ることができる。
【００３２】
吹出口５から吸込まれ（図３の矢印α２ａ）空気調和された調和空気を、等分割ルーバ６ｂで絞られた吹出口５の開口から強く吹出し遠くまで送ることができる（図３の矢印α２ｂ）。これに対して、分割ルーバ６ｂを開く面積（吹出口５の開口面積）を相対的に大きくすることで、空気調和された調和空気を、広い面積（空間）に送ることができる（図３の矢印α２ｂ）。  このように、等分割ルーバ６ｂのみを開制御することで、調和空気を室内の中央側遠くに送ったり、広い範囲に送ることができる。
【００３３】
空気調和機Ｃの室内機１の効果について説明する。
図１、図２に示す等分割ルーバ６ａ、６ｂは、吹出口５を閉塞するルーバが２分割に形成され、各々が独立して回動するように構成される。本構成で前記の課題（遠くの場所や特定の場所に調和空気を送る）を解決するためには、２分割された等分割ルーバ６ａ、６ｂの１方を閉じたままとする。
【００３４】
図２または図３では、室内機１の吸込口３側を開け、この状態で空調運転すると吹出口５を等分割ルーバ６ａ、６ｂの一方の等分割ルーバ６ｂで塞いでいるため、吹出口５の開口が狭くなっている。そのため、吹出口５の狭い開口から同じ風量の調和空気が吹出されるので、吹出し風速が速くなり、温風が遠くの箇所、例えば床まで届きやすくなる。
【００３５】
このように、等分割ルーバ６ａ、６ｂの何れか一方で、吹出口５に形成される開口面積を絞り、空気調和された空気を吹出すことで、遠くの場所または特定の場所に空気調和された空気を供給することができる
同様に、等分割ルーバ６ａ、６ｂの両方で、吹出口５に形成される開口面積を絞り、空気調和された空気を吹出すことで、遠くの場所または特定の場所に空気調和された空気を供給することができる。
【００３６】
図４に実施形態１の分割ルーバの各々を吹出口が狭くなるように位置を調整した室内機の吹出口周りの断面図を示す。なお、図４におけるＤ１は、吹出口５の開口面積を示す。
図４は実施形態１の等分割ルーバ６ａ、６ｂの両方を動かして吹出口５の開口面積を小さくし、空気調和された空気の吹出し風速をアップさせる構成を示している。
【００３７】
本構成によれば、吹出口５の開口面積が、等分割ルーバ６ａ、６ｂの両方で調整可能であるため、より吹出し風速、風向きをより自由度高くコントロール（制御）することが可能である。例えば、等分割ルーバ６ａ、６ｂのそれぞれの開口角度θａまたは開口角度θｂを変えることで、風速、風向きを様々に変更することができる。
【００３８】
ところで、吹出口５を、等分割ルーバ６ａ、６ｂの何れかで塞ぐと圧力損失が増大し、風量は低下する。モータがＡＣモータである場合、抵抗が大きいとファン回転速度が低下して、風量が低下する。そのため、実施形態１（本発明）の効果、すなわち吹出口５での風速アップ効果は小さい。
しかし、最近はＤＣモータが主流となっている。ＤＣモータは圧力損失が増大しても決められたファン回転速度を維持するように制御されるため、風量低下は小さく、本実施形態１（本発明）の効果が期待できる。
【００３９】
また、空気調和機Ｃの室内機１は、ターボファン１２の回転速度を通常より上げる高天井対応設定機能を併用すれば、調和空気をより遠くの場所まで供給することができる。
従って、空気調和機の室内機１により、高天井の部屋であっても、ターボファン１２の回転速度アップおよびコストアップを抑制しつつ、吹出風速アップさせることができる。そのため、室内機１で温風を遠くの場所、例えば床に届かせかつ部分空調も可能となる。
【００４０】
＜＜実施形態２＞＞
図５に実施形態２の室内機の吹出口周りの縦断面図を示し、図６（ａ）、（ｂ）、（ｃ）は不等分割ルーバ２６ａ、２６ｂの開動作の例を示す。
実施形態２は、ルーバの分割構成を、実施形態１の等分割ルーバ６ａ、６ｂと異なり、不等分割ルーバ２６ａ、２６ｂとしたものである。
その他の構成は、実施形態１と同様であるから、同一の構成要素には同一の符号を付して示し、詳細な説明は省略する。
【００４１】
図５は実施形態２の不等分割ルーバ２６ａ、２６ｂで吹出口５を蓋（閉塞）した場合である。なお、吹出口５の形状は図１と同様である。
不等分割ルーバ２６ａ、２６ｂは、互いに大きさが異なる形状に形成された細長い長形の平板で形成されている。
【００４２】
不等分割ルーバ２６ａ、２６ｂは、不等分割ルーバ２６ａの幅寸法Ｌ１、不等分割ルーバ２６ｂの幅寸法Ｌ２とすると、Ｌ１＞Ｌ２、或いは、Ｌ１＜Ｌ２で構成されている。ちなみに、実施形態１では、Ｌ１≒Ｌ２である。
ここで、Ｌ１＞Ｌ２、或いは、Ｌ１＜Ｌ２とすることで、図６（ａ）〜（ｃ）に示すように、不等分割ルーバ２６ａ、２６ｂが吹出口５を塞ぐ面積（吹出口５の開口面積）を変えることができ、吹出風速をコントロールすることができる。
【００４３】
例えば、図６（ａ）では、不等分割ルーバ２６ａ、２６ｂの開角度θａ、θｂをほぼ等しくして、開口面積を絞って中央外側に強い調和された空気を送っている（図５の矢印α２ｂ）。
図６（ｂ）では、不等分割ルーバ２６ａの開角度θａ、不等分割ルーバ２６ｂの開角度θｂを、θａ＜θｂとして、開口面積を絞って側方側に強い調和された空気を送っている（図５の矢印α２ｂ）。
図６（ｃ）では、不等分割ルーバ２６ａの開角度θａ、不等分割ルーバ２６ｂの開角度θｂを、θａ＞θｂとして、開口面積を絞って中央側に強い調和された空気を送っている（図５の矢印α２ｂ）。
【００４４】
＜＜実施形態３＞＞
図７に実施形態３の室内機の吹出口周りの縦断面図を示す。
実施形態３は、ルーバの分割構成を、オバーラップした分割ラップルーバ３６ａ、３６ｂとしたものである。
その他の構成は、実施形態１と同様であるから、同一の構成要素には同一の符号を付して示し、詳細な説明は省略する。
図７は実施形態３のルーバをラップ（重畳）させた分割ラップルーバ３６ａ、３６ｂの構成を示しており、吹出口５を分割ラップルーバ３６ａ、３６ｂで蓋（閉塞）したときの図である。
【００４５】
図８（ａ）〜（ｃ）に、実施形態３の分割ラップルーバの各々を吹出口が狭くなるように位置を調整した室内機の吹出口周りの断面図を示す。
図８（ａ）に示すように、分割ラップルーバ３６ａ、３６ｂは吹出口５を閉塞した状態でラップ（重畳）するように長く構成している。そのため、分割ラップルーバ３６ａ、３６ｂの各々を、吹出口５を狭めるよう動かすと吹出口５の開口面積がより小さくなり吹出し風速をアップさせることができる。具体的には図４の実施形態１の吹出口５の開口面積を表すＤ１よりも、図８の実施形態３の開口面積Ｄ２の方が、調和空気の吹出し方向により長い距離もって、吹出口５の開口面積を小さくすることができる。そのため、分割ラップルーバ３６ａ、３６ｂでの調和空気の損失が少なく、調和空気の吹出し風速をアップさせることができる。また、調和空気の風速も風向きもコントロールすることができる。
【００４６】
例えば、図８（ｂ）に示すように、分割ラップルーバ３６ａの開口角度θａ３より分割ラップルーバ３６ｂの開口角度θｂ３を大きくすることで、吹出口５の開口面積を絞り、側方側の特定の場所に調和空気を強く吹出すことができる（図８の矢印α３ｂ）。
或いは、図８（ｃ）に示すように、分割ラップルーバ３６ａの開口角度θａ３より分割ラップルーバ３６ｂの開口角度θｂ３を小さくすることで、吹出口５の開口面積を絞り、中央側の特定の場所に調和空気を強く吹出すことができる（図８の矢印α３ｂ）。
【００４７】
＜＜実施形態４＞＞
図９に実施形態４の室内機の吹出口周りの断面図を示す。
実施形態４は、分割されたルーバに、調和空気が目的とする場所以外に漏れないように導く漏れ流れ止め４６ａ１、４６ｂ１を設けたものである。
その他の構成は、実施形態１と同様であるから、同一の構成要素には同一の符号を付して示し、詳細な説明は省略する。
【００４８】
図９は、実施形態４の分割ラップルーバ４６ａ、４６ｂに漏れ流れ止め４６ａ１、４６ｂ１を設けた吹出口５の構成を示している。
図９は具体的には図７、図８に示す分割ラップルーバ３６ａ、３６ｂに漏れ流れ止め４６ａ１、４６ｂ１を設け、漏れ流れ止め付分割ルーバの分割ラップルーバ４６ａ、４６ｂにした場合である。
分割ラップルーバ４６ａ、４６ｂは、それぞれ回転軸ｊ１、ｊ２に固定され、回転軸ｊ１、ｊ２を中心に回転自在にに設けられる。分割ラップルーバ４６ａ、４６ｂの回動動作により吹出口５が開閉される。
【００４９】
図１０に、実施形態４の分割ルーバの漏れ流れ止め形状を示す。
図１０に示すように、漏れ流れ止め４６ａ１は、平板形状の分割ラップルーバ４６ａの平板端部に吹出し流れｆ方向に沿って立設される。例えば、分割ラップルーバ４６ａの平板端部に漏れ流れ止め４６ａ１が、吹出し流れｆ方向に沿って垂直に設けられる。
分割ラップルーバ４６ｂの漏れ流れ止め４６ｂ１も同様に形成される。
【００５０】
ここで漏れ流れ止め４６ａ１、４６ｂ１の効果を説明する。
実施形態３の図８（ａ）に示すように、分割ラップルーバ３６ａ、３６ｂを吹出口５を狭めるよう動かして風を送ると、吹出し流れ（矢印α３ｂ）が発生するが、同時に吹出口５を狭めたことによる圧力上昇により、図１０の矢印α３ｃに示すように、分割ラップルーバ３６ａの端部から漏れ流れｍが発生する。そのため、送りたい場所への調和空気にロスが生じ、風量が減ってしまう。
【００５１】
そこで、実施形態４では、漏れ流れ止め４６ａ１、４６ｂ１を分割ラップルーバ４６ａ、４６ｂの端部に吹出し流れｆ方向に沿って設けている。漏れ流れ止め４６ａ１は分割ラップルーバ４６ａの端部から漏れる流れｍ（図１０の矢印α３ｃ）を止めて、流れの向きを、図１０の矢印α４ｂに示す吹出し流れｆ方向に変えることができる。すなわち、漏れ流れｍは漏れ流れ止め４６ａ１（４６ｂ１）が有る場合、漏れる流れｍを吹出流れｆに沿った方向の流れｆ１に方向転換できる。これにより、漏れ流れｍのロスを低減または阻止することができる。
【００５２】
なお、実施形態４の漏れ流れ止め４６ａ１、４６ｂ１は扇形の場合を例示しているが、分割ラップルーバ４６ａ、４６ｂで吹出口５を閉塞でき、漏れる流れｍを吹出流れｆに沿った方向の流れｆ１に方向転換できるならばどんな形状でもよい。
【００５３】
＜＜実施形態５＞＞
図１１に実施形態５の化粧パネル側から見た空気調和機の室内機を示す。
実施形態５は、ルーバを長手方向にほぼ等分割した場合である。
その他の構成は、実施形態１と同様であるから、同一の構成要素には同一の符号を付して示し、詳細な説明は省略する。
実施形態５では、ルーバを吹出口５の長手方向に略等分割した長手方向等分割ルーバ５６ａ、５６ｂとしている。
【００５４】
長手方向等分割ルーバ５６ａは内端部５６ａ２が長手方向に延びる軸（図示せず）に軸支持されている。そして、長手方向等分割ルーバ５６ａが内端部５６ａ２側の長手方向の軸周りに回動することで外端部５６ａ１が下方（図１１の紙面手前側）に開く構成である。  
同様に、長手方向等分割ルーバ５６ｂは内端部５６ｂ２が長手方向に延びる軸（図示せず）に軸支持されている。そして、長手方向等分割ルーバ５６ｂが内端部５６ｂ２側の長手方向の軸周りに回動することで外端部５６ｂ１が下方（図１１の紙面手前側）に開く構成である。  
【００５５】
実施形態１〜実施形態４と同様に、長手方向等分割ルーバ５６ａ、５６ｂを軸周りに回転させることで、吹出口５の開口面積を制御することができる。
この構成によれば、長手方向等分割ルーバ５６ａ、５６ｂにより、吹出口５の長手方向で調和空気の吹出し強さを変えることができる。特に、長手方向等分割ルーバ５６ａ、５６ｂにより吹出口５の開口面積を絞ることで、吹出口５の外方側の場所に集中して強い調和空気を送ることができる。
その他、実施形態１（図２）と同様な作用効果を奏する。
なお、長手方向等分割ルーバ５６ａ、５６ｂの少なくとも何れかを長手方向の外端部側の軸廻りに長手方向の内端部側が開く構成としてもよい。これにより、長手方向等分割ルーバ５６ａ、５６ｂの開き角度を絞ることで、より多様な方向に集中して強い調和空気を送ることができる。
【００５６】
＜＜実施形態６＞＞
図１２に実施形態６の化粧パネル側から見た空気調和機の室内機の下面図を示す。
実施形態６は、ルーバを長手方向に不等分割した場合である。
その他の構成は、実施形態１と同様であるから、同一の構成要素には同一の符号を付して示し、詳細な説明は省略する。
【００５７】
実施形態６はルーバを、長手方向に等しくない長さに分割した長手方向不等分割ルーバ６６ａ、６６ｂで吹出口５を開閉するように構成したものである。
長手方向不等分割ルーバ６６ａは内端部６６ａ２が長手方向に延びる軸（図示せず）に軸支持されている。そして、長手方向不等分割ルーバ６６ａが内端部６６ａ２側の長手方向の軸周りに回動することで外端部６６ａ１が下方（図１２の紙面手前側）に開く構成である。  
【００５８】
同様に、長手方向不等分割ルーバ６６ｂは内端部６６ｂ２が長手方向に延びる軸（図示せず）に軸支持されている。そして、長手方向不等分割ルーバ６６ｂが内端部６６ｂ２側の長手方向の軸周りに回動することで外端部６６ｂ１が下方（図１２の紙面手前側）に開く構成である。  
実施形態１〜実施形態４と同様に、長手方向不等分割ルーバ６６ａ、６６ｂを軸周りに回転させることで、吹出口５の開口面積を制御することができる。
【００５９】
この構成によれば、長手方向不等分割ルーバ６６ａ、６６ｂにより、吹出口５の長手方向に調和空気の吹出し強さおよび方向を変えることができる。特に、長手方向等分割ルーバ６６ａ、６６ｂにより吹出口５の開口面積を絞ることで、吹出口５の外方側の場所に集中して強い調和空気を送ることができる。
その他、実施形態５の作用効果は同様に奏する。
なお、長手方向不等分割ルーバ６６ａ、６６ｂのそれぞれの長手方向長さは、調和空気を送る場所に応じて適宜選択できる。
その他、実施形態１（図２）と同様な作用効果を奏する。
なお、長手方向等分割ルーバ６６ａ、６６ｂの少なくとも何れかを長手方向の外端部側の軸廻りに長手方向の内端部側が開く構成としてもよい。これにより、長手方向等分割ルーバ６６ａ、６６ｂの開き角度を絞ることで、より多様な方向に集中して強い調和空気を送ることができる。
【００６０】
＜＜実施形態７＞＞
図１３に実施形態７の化粧パネル側から見た空気調和機の室内機の下面図を示す。
実施形態７は、ルーバを長手方向に不等分割ルーバの配置パターンを下方から見て線対称に構成したものである。
図１３に示すように、実施形態７は実施形態６と同じく、吹出口５を長手方向不等分割ルーバ７６ａ、７６ｂで開閉するように構成したものである。そして、化粧パネル２の４つの吹出口５における長手方向不等分割ルーバ７６ａ、７６ｂの配置パターンを、下方から見て略矩形状の化粧パネル２の対角線のＢ-Ｂの線を中心に線対称に構成したものである。
例えば、長手方向不等分割ルーバ７６ａ、７６ｂは、それぞれ内端部７６ａ２、７６ｂ２が長手方向に延びる軸（図示せず）に軸支持されている。
そして、長手方向不等分割ルーバ７６ａは、内端部７６ａ２側の長手方向の軸周りに回動することで外端部７ａ１が下方（図１３の紙面手前側）に開く構成である。同様に、長手方向不等分割ルーバ７６ｂは、それぞれ内端部７６ｂ２側の長手方向の軸周りに回動することで外端部７６ｂ１が下方（図１３の紙面手前側）に開く構成である。  
効果は実施形態６（図１２参照）と同様である。
この場合も、長手方向等分割ルーバ７６ａ、７６ｂの少なくとも何れかを長手方向の外端部側の軸廻りに長手方向の内端部側が開く構成としてもよい。これにより、長手方向等分割ルーバ７６ａ、７６ｂの開き角度を絞ることで、より多様な方向に集中して強い調和空気を送ることができる。
【００６１】
なお、実施形態７のように吹出口５が複数ある場合、前述したすべての分割ルーバは、化粧パネル２の吹出口５における配置パターンを自由に決定できるものであり、効果も前記と同じである。
前記したように、分割ルーバは化粧パネル２の吹出口５における配置パターンの違いにより（配置パターンを変更させることにより）、調和空気を供給する場所を変更することができる。
また、実施形態４で説明した漏れ流れ止め４６ａ１、４６ｂ１は、その他の実施形態に適用してもよい。これにより、調和空気をロスなく供給すべき場所に送ることが可能であり、効果的な調和空気の送風が行える。
【００６２】
＜＜その他の実施形態＞＞
１．前記実施形態では、室内機１を天井１５に設ける場合を例示したが、天井１５以外の側方に配置される壁に設置する構成としてもよい。
【００６３】
２．図１４に変形例１の化粧パネル側から見た空気調和機の室内機の下面図を示す。
前記実施形態の図１〜図９では、吹出口５を開閉する短手方向に分割したルーバを予め定めた形状にする場合を説明したが、図１４に示すように、分割ルーバ８６ａ、８６ｂを矢印γ１、γ２、γ３、γ４に示すように短手方向にそれぞれ変更できる構成としてもよい。
【００６４】
変形例１では、分割ルーバ８６ａ、８６ｂを手動または自動で伸縮自在にスライドする構成とすることで実現できる。例えば、分割ルーバ８６ａ、８６ｂをそれぞれ複数の部材で構成し、手動で短手方向にスライド自在の構成とする。或いは、小型ＤＣモータ等を用いてラックとピニオンで、複数の部材で構成した分割ルーバ８６ａ、８６ｂをモータの駆動力で所望の位置に移動させる構成とする。
【００６５】
変形例１によれば、使用者が、調和空気を送る位置を使用場所で吹出口５の短手方向に適宜自在に調整することができる。
なお、４つの分割ルーバ８６ａ、８６ｂのうちの少なくとも一つ以上を短手方向に調整可能な構成としてもよい。
【００６６】
３．図１５に変形例２の化粧パネル側から見た空気調和機の室内機の下面図を示す。
前記実施形態の図１１〜図１３では、吹出口５を開閉する長手方向に分割したルーバを予め定めた形状にする場合を説明したが、図１５に示すように、分割ルーバ９６ａ、９６ｂを矢印γ５、γ６、γ７、γ８のようにそれぞれ変えられる構成としてもよい。
【００６７】
変形例２では、分割ルーバ９６ａ、９６ｂを手動または自動で伸縮自在にスライドする構成とすることで実現できる。例えば、分割ルーバ８６ａ、８６ｂをそれぞれ複数の部材で構成し、長手方向にスライド自在の構成とする。或いは、小型ＤＣモータ等を用いてラックとピニオンで、複数の部材で構成した分割ルーバ９６ａ、９６ｂをモータの駆動力で所望の位置に移動させる構成とする。
【００６８】
変形例２によれば、使用者が、調和空気を送る位置を使用場所で吹出口５の長手方向に適宜自在に調整することができる。
なお、４つの分割ルーバ９６ａ、９６ｂのうちの少なくとも一つ以上を短手方向に調整可能な構成としてもよい。
【００６９】
４．前記実施形態では、一つの吸込口５に設けられるルーバを２つに分割する構成を説明したが、前記実施形態で説明した機能を果たせれば、ルーバを３つ以上に分割する構成としてもよい。
【００７０】
５．前記実施形態では、外装部材として、化粧パネル２を例示したが外装部材であれば化粧パネル２に限定されない。
【００７１】
６．前記実施形態１〜７、変形例１、２では、様々な構成を説明したが各構成を適宜選択して組み合わせて構成してもよい。
【００７２】
７．前記実施形態１〜７、変形例１、２で説明した構成は、本発明の一例を説明したものであり、特許請求の範囲内で様々な具体的形態が可能である。
【符号の説明】
【００７３】
１      室内機
２      化粧パネル（外装部材）
３      吸込口
５      吹出口
６ａ、６ｂ  等分割ルーバ（ルーバ、分割ルーバ、短手方向に分割されて形成される分割ルーバ、２分割されて観音開きで開く分割ルーバ）
７ｔ    天板（奥板）
７      筐体
１２    ターボファン（ファン）
１３    熱交換器
３６ａ、３６ｂ、４６ａ、４６ｂ  等分割ルーバ（ルーバ、分割ルーバ、他の分割ルーバと重なって吹出口を閉じる分割ルーバ、短手方向に分割されて形成される分割ルーバ、２分割されて観音開きで開く分割ルーバ）
４６ａ１、４６ｂ１  送風漏れ防止ガイド
５６ａ、５６ｂ  長手方向等分割ルーバ（ルーバ、分割ルーバ、長手方向に分割されて形成される分割ルーバ）
６６ａ、６６ｂ、７６ａ、７６ｂ  長手方向不等分割ルーバ（ルーバ、分割ルーバ、長手方向に分割されて形成される分割ルーバ）
８６ａ、８６ｂ  分割ルーバ（ルーバ、分割ルーバ、短手方向に分割されて形成される分割ルーバ、２分割されて観音開きで開く分割ルーバ、大きさを調整できる分割ルーバ）
９６ａ、９６ｂ  分割ルーバ（ルーバ、分割ルーバ、長手方向に分割されて形成される分割ルーバ、大きさを調整できる分割ルーバ）
Ｃ      空気調和機
【図１】
0006444224.tif 000002
【図２】
0006444224.tif 000003
【図３】
0006444224.tif 000004
【図４】
0006444224.tif 000005
【図５】
0006444224.tif 000006
【図６】
0006444224.tif 000007
【図７】
0006444224.tif 000008
【図８】
0006444224.tif 000009
【図９】
0006444224.tif 000010
【図１０】
0006444224.tif 000011
【図１１】
0006444224.tif 000012
【図１２】
0006444224.tif 000013
【図１３】
0006444224.tif 000014
【図１４】
0006444224.tif 000015
【図１５】
0006444224.tif 000016
【図１６】
0006444224.tif 000017
【図１７】
0006444224.tif 000018
【図１８】
0006444224.tif 000019